(57)【要約】【課題】  本体の下部で粘着テープの切断動作が便利に改良されることにより、実用性の便宜を改良する。【解決手段】  粘着テープ用ディスペンサは、粘着テープ１０を中に取り付けるための保持部２１が形成された本体ケース２４、本体ケース２４に連結され、後部に組付けスペース２６が形成された連結ケース２５、及び、正面部に嵌込み部材２８が形成され、組付けスペース２６に結合されるカバーケース２７を有し、正面部に取付け孔２２が形成され、取付け孔２２の上部に露出スペース２３が形成された本体２０と、本体２０の取付け孔２２に取り付けられたカッタ部３０と、保持部２１の上部に配置され、粘着テープ１０が引き出される際に、粘着テープ１０を下方へ弾性的に押圧して張力を保持する弾性押圧プレート８０とを備える。【選択図】  図１
2008143705.tif 000002
【特許請求の範囲】
【請求項１】
粘着テープを中に取り付けるための保持部が形成された本体ケース、前記本体ケースに連結され、後部に組付けスペースが形成された連結ケース、及び、正面部に嵌込み部材が形成され、前記組付けスペースに結合されるカバーケースを有し、正面部に取付け孔が形成され、且つ前記取付け孔の上部に露出スペースが形成された本体と、
前記本体の取付け孔に取り付けられたカッタ部と、
前記保持部の上部に配置され、前記粘着テープが引き出される際に、該粘着テープを下方へ弾性的に押圧して張力を保持する弾性押圧プレートとを備えることを特徴とする粘着テープ用ディスペンサ。
【請求項２】
前記本体を形成する前記本体ケース及び前記カバーケースは、内方へ突出した突出部を有する弾性部材が形成されていることを特徴とする請求項１記載の粘着テープ用ディスペンサ。
【請求項３】
前記カバーケースは、底面にフック突起を有するフック部材が形成され、
前記本体ケースは、底面に係合突起が形成され、
前記カバーケース及び前記本体ケースの結合状態を保持するために、前記係合突起が前記フック突起により係合されることを特徴とする請求項１又は請求項２記載の粘着テープ用ディスペンサ。
【請求項４】
前記本体を形成する前記本体ケース及び前記連結ケースは、下部に、側方へ対照的に突出した案内部材が形成され、
前記連結ケースは、その中心部の端に、下方へ突出した突出部が形成されていることを特徴とする請求項１又は請求項２記載の粘着テープ用ディスペンサ。
【請求項５】
カッタ部の後部に設けられ、前記取付け孔の上部で前記露出スペースを開閉するカッタ保護カバーと、
前記カッタ保護カバーの下部及び前記本体の内側の底面により支持され、前記カッタ保護カバーを軸方向に対して時計回り又は反時計回りのいずれかに回転させる戻しバネと、
前記本体の内部から外側へ突出し、前記カッタ保護カバーの開閉を制御し、前記カッタ部を操作するカッタコントローラとをさらに備えることを特徴とする請求項１又は請求項２記載の粘着テープ用ディスペンサ。
【発明の詳細な説明】
【技術分野】
【０００１】
本発明は、使用の便宜を促進するために、本体の下部での切断動作が便利に改良された、粘着テープ用ディスペンサに関するものである。
【背景技術】
【０００２】
一般に、粘着テープは、紙又は他の物品を接着するために使用されるテープである。前記粘着テープは、ロールの形に巻かれて、ケースの中に収容されている。前記ケースは、前端に前記粘着テープを切断するためのカッタを備えている。
【０００３】
比較的大きな粘着テープ、いわゆる箱テープ用の粘着テープ用ディスペンサが開示されている（例えば、特許文献１参照）。特許文献１において、本体は、比較的大きな幅に形成され、切断要素（element）を操作するためのレバーが取り付けられている。前記レバーの動作は、上部で制御され、その結果、前記ディスペンサは、幅広の前記箱テープ等に対応可能である。
【０００４】
従来の前記粘着テープ用ディスペンサは、通常、粘着テープの幅よりもかなり大きく形成されている。
【０００５】
したがって、前記粘着テープ用ディスペンサは、前記粘着テープ又は製品の種類に関係なく、製品ごとに違いを有して製造された種々の粘着テープに対応可能である。
【０００６】
従来の前記箱テープ用ディスペンサは、本体の前端に取り付けられ、前記箱テープを切断するためのカッタを備えている。前記カッタの刃は、常に前記本体部の外側に露出しているので、実用性及び安全性に問題がある。
【０００７】
そこで、前記カッタの刃が、必要なときに外側に露出し、使用しないときにはカバーにより保護されるディスペンサが示唆されている（例えば、特許文献２参照）。
【０００８】
しかしながら、従来の前記カッタの刃を保護するための構造は、比較的複雑である、多くの工程を経て組み立てられる等の不利な点を有していて、この種の不利な点により製造費用の増加及び組立性能の低下が生じるという問題がある。
【０００９】
内側の幅が前記粘着テープよりも大きく形成された前記ケースを有する従来の前記ディスペンサは、前記ロールの形に巻かれた前記粘着テープの張力が不足する、ユーザが箱等の必要な位置に前記粘着テープを貼り付ける際に該粘着テープが余分に引き出されがちである等のさらなる不利な点を有している。
【００１０】
したがって、引き出し開始位置から引き出し終了位置まで、前記粘着テープに十分な張力が掛からず、そして、該粘着テープは、緩んだ状態での慣性の引き出し（releasing inertial）により、必要な長さ以上に引き出されがちである。
【００１１】
この場合、前記テープは、緩んだ状態又はしわが寄った状態で前記必要な位置に貼り付けられ、接着状況を悪化させる。
【００１２】
さらに、必要な長さ以上に引き出された前記テープは、お互いに接着し合うことにより次の作業を妨げ、接着作業での不都合や遅れを生じさせる。
【特許文献１】韓国特許第６０４４３６号明細書
【特許文献２】韓国特許出願公開第２００６−１４４８８０号明細書
【発明の開示】
【発明が解決しようとする課題】
【００１３】
したがって、本発明は、従来技術の上記及び他の不利な点を解決しようとするものである。
【００１４】
本発明は、適当な圧力を粘着テープに印加することにより、適切な張力でテープ作業を短時間で円滑に行い、それによって、次の作業が遅延なく行われるように助ける、粘着テープ用ディスペンサを提供することを目的とする。
【００１５】
また、本発明は、使用されるときに、本体の下部にカッタの刃を露出させるためのカッタ案内ユニットを有することにより、実用性及び安全性の便宜を改良することができる粘着テープ用ディスペンサを提供することを目的とする。
【００１６】
また、本発明は、信頼性を改善することができる粘着テープのディスペンサを提供することを目的とする。
【課題を解決するための手段】
【００１７】
上記目的を達成するために、本発明の粘着テープ用テープディスペンサは、粘着テープを中に取り付けるための保持部が形成された本体ケース、前記本体ケースに連結され、後部に組付けスペースが形成された連結ケース、及び、正面部に嵌込み部材が形成され、前記組付けスペースに結合されるカバーケースを有し、正面部に取付け孔が形成され、且つ前記取付け孔の上部に露出スペースが形成された本体と、前記本体の取付け孔に取り付けられたカッタ部と、前記保持部の上部に配置され、前記粘着テープが引き出される際に、該粘着テープを下方へ弾性的に押圧して張力を保持する弾性押圧プレートとを備えることを特徴とする。
【００１８】
前記弾性押圧プレートは、自身の弾性により前記粘着テープを押圧する。その結果、テープ作業において、前記粘着テープは、ユーザが前記粘着テープを指で把持して引き出すかのように、適切な張力で引き出される。
【００１９】
したがって、前記粘着テープは、緩んだり、不規則になったりすることなく、物品に一様に接着される。
【００２０】
さらに、前記粘着テープは、ロールの形に巻かれていて、慣性により所望の長さ以上に引き出されることが防止され、その結果、引き出された粘着テープ部の付着が防止される。
【発明を実施するための最良の形態】
【００２１】
本発明の目的、特徴および利点は、添付図面以下の詳細な説明からより明らかに理解される。
【００２２】
添付図面を参照しながら、本発明の粘着テープ用ディスペンサの構造及び作動についてさらに詳しく説明する。
【００２３】
図１は、本発明の好適な実施形態の粘着テープ用ディスペンサの構造を示す分解斜視図であり、カッタ保護カバー及びカッタコントローラが本体ケース及びカバーケースに組み込まれ、本体ケース及びカバーケースが本体を形成している状態を示す。
【００２４】
図２は、本発明に係る本体ケースとカバーケースとの結合構造を示す分解斜視図であり、間に粘着テープを組み付ける状態を示す。
【００２５】
図３は、カッタコントローラにより係止されたブロッキングプレートを示す断面図である。
【００２６】
図４は、カッタコントローラによる係止が解除されたブロッキングプレートを示す断面図である。
【００２７】
図５は、本発明に係る粘着テープの緩みを防ぐための要部を示す拡大図である。
【００２８】
図６は、図３のＡ−Ａ´線断面図である。
【００２９】
図７は、本発明の粘着テープ用ディスペンサの使用状態を示す斜視図である。
【００３０】
図８は、本発明の粘着テープ用ディスペンサの部分平面図であり、粘着テープの側面部が弾性部材により弾性的に支持されている状態を示す。
【００３１】
図１〜図７を参照して、本発明の粘着テープ用ディスペンサは、弾性押圧プレート８０自身の弾性により粘着テープ１０を押圧する。その結果、ユーザの指により把持されている間に粘着テープ１０が引き出されたかのように、テープ作業の間、適当な張力が粘着テープ１０に付与される。
【００３２】
カッタ保護カバー４０は、好ましくは、粘着テープが切断されようとするときのみに本体２０からカッタ部を露出させ、これにより安全性を改善する。
【００３３】
カッタコントローラ６０は、カッタ保護カバー４０の動作を制御して、使用の便宜を促進するとともに、ディスペンサの全構造を単純化して製造コストを低減させる。
【００３４】
本体２０は、互いにおおよそ対称形の一対の左右のケース部からなり、互いに着脱可能に連結されている。保持部２１は、前記連結されたケース部の内側の凹部に形成されている。前記連結されたケース部において、円筒形のロール形に巻かれた粘着テープ１０は、保持部２１で囲まれるように保持部２１内に保持されている。
【００３５】
本体２０は、中に粘着テープ１０を取り付けるための保持部２１を有する本体ケース２４と、後部に組付けスペース２６が形成された連結ケース２５と、前部に、組付けスペース２６に結合される嵌込み部材２８が形成されたカバーケース２７とを備える。
【００３６】
連結ケース２５は、前部に取付け孔２２が形成され、取付け孔２２の上部に露出スペース２３が形成されている。
【００３７】
保持部２１は、本体ケース２４内で略半円形に形成されていて、連結ケース２５及びカバーケース２７で本体ケース２４を連結することにより円筒形に形成されている。
【００３８】
弾性押圧プレート８０は、保持部２１の上部に形成されていて、上部からの粘着テープ１０の移動を防ぐとともに、粘着テープ１０が引き出されるときに、上部から一定の弾性で粘着テープ１０を押圧するようになっている。
【００３９】
弾性押圧プレート８０は、前端に、ボス２４ｂに嵌め込まれる連結ピン８１が形成されている。ボス２４ｂは、本体ケース２４及びカバーケース２７の中にそれぞれ形成されている。以上により、弾性押圧プレート８０は、保持部２１の上部に取り付けられる。
【００４０】
したがって、弾性押圧プレート８０は、連結ピン８１がボス２４ｂに嵌め込まれ、取付け孔２９に挿入される間に、粘着テープ１０にその端部での押圧方向に弾性力を印加する。
【００４１】
弾性押圧プレート８０は、合成樹脂をおおよそ弧状に射出成形されたものである。弾性押圧プレート８０の端部８５は、ロールに巻かれた粘着テープ１０が保持部２１内で完全に消費された後に、自然な状態（the natural state）にある紙で作られた前記ロールを僅かに押圧する大きさに設計されている。
【００４２】
ロールに厚く巻かれた新品の粘着テープ１０が新たに保持部２１に取り付けられるとき、弾性押圧プレート８０の端部８５から印加される弾性力は増加する。新品の粘着テープ１０が消費されて粘着テープ１０の厚みが減少するにつれて、弾性力は比例して減少する。
【００４３】
弾性押圧プレート８０の端部８５は、粘着テープ１０が完全に消費された場合であっても、粘着テープ１０の外面に対して弾性接触の状態に保たれ、粘着テープ１０の張力を保持する。したがって、弾性押圧プレート８０は、粘着テープ１０がテープ作業中に移動することを防ぎ、粘着テープ１０が均一な張力の下で引き出されるという作用をもたらす。
【００４４】
本体２０の本体ケース２４及びカバーケース２７は、好ましくは弾性部材２４ｔが一体的に形成されている。弾性部材２４ｔは、本体ケース２４及びカバーケース２７から内部へ僅かに突出してＵ字状形状に形成され、本体ケース２４及びカバーケース２７に一つの方向で一体的に連結している。このとき、弾性部材２４ｔの突出した自由端は、弾性を有している。
【００４５】
弾性部材２４ｔは、添付図面に示されるように、一箇所又は二箇所で本体ケース２４及びカバーケース２７から内部へ突出していて、弾性的に粘着テープ１０の側面を支持する。
【００４６】
したがって、弾性部材２４ｔ及び弾性押圧プレート８０は、テープ作業中に、粘着テープ１０の移動を防ぐとともに適切な張力を保つために、粘着テープ１０の外周面及び側面を弾性的に押圧する。
【００４７】
粘着テープ１０に対する弾性部材２４ｔの弾性支持力が十分でない場合には、ユーザは手で弾性部材２４ｔを強く押圧してもよい。
【００４８】
ユーザが手で本体２０を把持して、指で弾性部材２４ｔの端部を僅かに押圧すると、内部へ突出した端部は粘着テープ１０の側面に圧力を印加する。これにより、ユーザは、粘着テープ１０を直接手で把持して適切な力を印加したときと同様に、適切な張力でテープ作業を実現することができる。
【００４９】
このとき、ユーザが弾性部材２４ｔを押圧するのを助けるとともにユーザの指がスリップするのを防ぐために、弾性部材２４ｔの外側にスリップ防止用突起部が形成されていてもよい。
【００５０】
上述のように、粘着テープ１０は適切な張力が保持され、その結果、手で直接粘着テープ１０を把持することなく、本体２０の移動に対応する長さまで粘着テープ１０が引き出され、これにより、粘着テープ１０の引き出しの失敗を防ぐことができる。
【００５１】
したがって、図７に示すように、ユーザは本体２０を手で把持して、テープ作業を行うことができる。
【００５２】
本体ケース２４は、連結ケース２５及びカバーケース２７を本体ケース２４に組み付けるために、内側に固定ボス２４ａ，２４ｅが形成されている。
【００５３】
本体ケース２４及び連結ケース２５は、取付け孔２２が対称的に形成されていて、その結果、組み付け状態にある本体ケース２４の前端にカッタ部３０が取り付けられる。
【００５４】
連結ケース２５は、後方に段差を有する組付けスペース２６が形成されていて、カバーケース２７は、補完的な形状であって、かつ、組付けスペース２６を有する大きさである嵌込み部材２８が形成されていて、その結果、嵌込み部材２８が組付けスペース２６に嵌め込まれる。
【００５５】
組み付け位置を決定するために、連結ケース２５は、組付け孔２６ａが形成され、カバーケース２７の嵌込み部材２８は、嵌込み突起２７ａが形成されていて、その結果、カバーケース２７は、常に正確な位置に、連結ケース２５に組み付けられる。
【００５６】
本体２０の中で、粘着テープ１０の緩みを防ぐために、本体ケース２４及び連結ケース２５の下部の中心部であって、かつ、カバーケース２７の下部の正面部に、案内ユニット９０が形成されている。
【００５７】
案内ユニット９０は、本体ケース２４及びカバーケース２７の下部の中央に対照的に形成された突出案内部材２０ｄ，２０ｅと、連結ケース２５の下部の中央で下方へ突出した突出部２０ｆとを備える。
【００５８】
したがって、テープ作業は、連結ケース２５の中央で下方へ突出した突出部２０ｆにより、粘着テープ１０の中央部が“Ｖ”の形に滑らかに湾曲した状況下で行われ、そして、粘着テープ１０が緩まないようにするために、粘着テープ１０の両側が案内部材２０ｄ，２０ｅにより支えられる。この結果、比較的薄い粘着テープが少しも緩むことなく、素早いテープ作業が実現される。
【００５９】
粘着テープ１０を新品に交換するときに組立又は分解を実行するために、連結ユニットが、本体ケース２４及びカバーケース２７により形成される保持部２１の底面に提供されている。
【００６０】
すなわち、端部にフック突起２０ｃを有するフック部材２０ａが、カバーケース２７の底面に形成され、係合突起２０ｂが、本体ケース２４の底面に形成され、その結果、本体ケース及びカバーケース２７の結合状態を保持するために、係合突起２０ｂがフック突起２０ｃにより係合される。
【００６１】
本体ケース２４からカバーケース２７を分解するために、フック部材２０ａが図６で示される方向に持ち上げられ、フック突起２０ｃは係合突起２０ｂから解放される。
【００６２】
露出スペース２３は、本体２０の取付け孔２２の上部に形成されている。露出スペース２３は、本体ケース２４及び連結ケース２５の正面の表面にそれぞれ形成され、カッタ部３０が本体２０の取付け孔２２に取り付けられる。
【００６３】
カッタ保護カバー４０は、好ましくは、最後に取り付けられ、カッタ部３０を保護する。カッタ保護カバー４０は、円弧状のブロッキングプレート４１の後部面に略垂直に一体形成された支持プレート４２と、支持プレート４２の両側に形成された軸支持ピン４３とを備える。
【００６４】
ブロッキングプレート４１は、下記に説明するように、粘着テープ１０が切断されるときに、戻しバネ（return spring）又は捻りバネ５０によりカッタ部３０を開閉するために、本体２０の露出スペースに配置されている。
【００６５】
軸支持ピン４３は、カッタ保護カバー４０を軸方向に回転させるために、ボス２４ｆに嵌め込まれる。
【００６６】
捻りバネ５０が本体ケース２４内に形成された固定ロッドに取り付けられているとき、捻りバネ５０の一方の側は、本体ケース２４の内側の下部の支持ボディ２４ｄに密接に接触する。さらに、捻りバネ５０の他方の側は、本体ケース２０の内側の底面で支持され、その結果、カッタ部３０を案内するカッタ保護カバー４０は、捻りバネ５０の弾性支持下で軸方向に回転することができる。
【００６７】
上記構成によれば、カッタ保護カバー４０は、通常、捻りバネ５０の弾性により、カッタ部３０の露出スペース２３の上部を遮り、それにより、カッタ部３０が露出されないように保護する。
【００６８】
ユーザが切断するために粘着テープ１０を引き出すとき、図３及び図４で示すように、粘着テープ１０が所望の長さに引き出され、物品に接着された後に、カッタ保護カバー４０は、カッタコントローラ６０の操作プレート７０を引き出すことにより自由に開く。
【００６９】
カッタ保護カバー４０は、粘着テープ１０の切断位置に接触した後に、さらに力が印加されるとき、カッタ保護カバー４０は、捻りバネ５０を押圧すると同時に、上昇方向に軸方向に回転し、その結果、カッタ部３０は露出され、切断刃３１により切断が行われる。
【００７０】
したがって、ユーザが、所望の切断位置で、本体２０の正面の表層部を押圧するだけで、カッタ保護カバー４０が持ち上げられ、切断刃３１が粘着テープ１０を切断する。
【００７１】
テープ作業が終了した後、カッタコントローラ６０の操作プレート７０は、カッタ保護カバー４０の開放を制御するために、前方へ移動する。したがって、カッタ保護カバー４０が開く方向に力を印加された場合であっても、カッタ保護カバー４０が後方へ下がるのが防止されるとともに、切断刃３１が露出することが防止される。
【００７２】
カッタ保護カバー４０を制御するカッタコントローラ６０は、連結ケース２５の上部で取付け孔２９に取り付けられている。
【００７３】
操作プレート７０は、取付け孔２９に摺動可能に嵌め込まれる接触プレート７１と、下部の両側にヒンジ軸７２とを有する。
【００７４】
操作プレート７０のヒンジ軸７２は、カッタ保護カバー４０のブロッキングプレート４１の制御動作のために、本体ケース２４及び連結ケース２５の中で固定ボス２４ａに取り付けられている。
【００７５】
図３に示すように、粘着テープ１０が引き出されるとき、操作プレート７０は、その後部で、カッタ保護カバー４０のブロッキングプレート４１の動作を遮る。ユーザがカッタ部３０により粘着テープ１０を切断するために操作プレート７０の上部の接触プレート７１を後退させるときに、ブロッキングプレート４１は後退する。
【００７６】
上記構成のカッタコントローラ６０は、初期状態にある捻りバネ５０の弾性により、操作プレート７０とともに反時計回りに移動する。その結果、図３に示すように、ブロッキングプレート４１は、カッタ部３０の露出を妨げることができる。
【００７７】
粘着テープ１０を切断するとき、操作プレート７０の接触プレート７１は後退して押圧される。その結果、カッタ部３０の露出を妨げるブロッキングプレート４１は、捻りバネ５０により操作プレート７０の下部に移動する。したがって、カッタ部３０は、露出され、粘着テープ１０の切断が行われる。
【００７８】
ユーザが操作プレート７０の接触プレート７１を解放した場合には、ブロッキングプレート４１は、捻りバネ５０の復元力により初期状態に復帰される。
【００７９】
ブロッキングプレート４１及び操作プレート７０の接触移動を改良するために、案内面７３が操作プレート７０の正面の下部に形成されていて、これにより、表層接触による滑らかな作業性を確保することができる。
【００８０】
上述のように、粘着テープ１０が所望の物品に接着されるとき、カッタコントローラ６０は、自由状態にある捻りバネ５０の弾性により、カッタ保護カバー４０の開放を阻止し、そして、切断を必要とする位置で、操作プレート７０を図面中の右方へ僅かに引くことにより、操作プレート７０を移動させる。
【００８１】
それから、図４に示すように、ブロッキングプレート４１が後退する場合であっても、ブロッキングプレート４１はカッタコントローラ６０の右端部に接触する。したがって、ブロッキングプレート４１の移動の防止は解除され、その結果、カッタ保護カバー４０の動作は自由になり、粘着テープ１０は上述のようにカッタ部３０の動作により切断される。
【００８２】
したがって、カッタ保護カバー４０は、開放自在な状態に移行し、そして、粘着テープ１０の切断作業が、カッタ部３０により安全に且つ便利に行われる。
【００８３】
本体２０の取付け孔２２に取り付けられたカッタ部３０は、切断刃３１が固定ボディ３２の前端で露出された状態で、取付け孔２２に嵌め込まれる。
【００８４】
上述のように、本発明によれば、弾性押圧プレート８０は自身の弾性により粘着テープ１０を押圧し、その結果、テープ作業の間にユーザが手で粘着テープ１０を引き出すかのように、粘着テープ１０の引き出しが適切な張力で行われる。
【００８５】
したがって、粘着テープが緩んだ状態で貼られたり一様でない状態で貼られたりすることが防止され、一様な接着状態が実現される。
【００８６】
さらに、ロールの形に巻かれた粘着テープは、慣性により必要な長さ以上に引き出されることが防止され、引き出された粘着テープがお互いに接着し合うことが防止される。
【００８７】
さらに、カッタコントローラは、ロックされた状態のカッタ保護カバーが開かないように保持し、必要なときにカッタ部による切断作業を実行するために、軸方向に回転させるように、カッタ保護カバーのロックを解除する。
【００８８】
したがって、本発明の粘着テープ用ディスペンサは、改良された信頼性により非常に実用的である。
【００８９】
以上、好ましい実施例について記載したが、当業者は、本発明を、発明の意図と範囲から逸脱することなく、変更及び改良できることが理解されるべきである。
【図面の簡単な説明】
【００９０】
【図１】本発明の好適な実施形態の粘着テープ用ディスペンサの構造を示し、粘着テープ用ディスペンサが分解された状態にある斜視図である。
【図２】本発明の本体ケースとカバーケースとの結合構造を示す分解斜視図である。
【図３】カッタコントローラにより係止されたブロッキングプレートを示す断面図である。
【図４】カッタコントローラによる係止が解除されたブロッキングプレートを示す断面図である。
【図５】本発明の粘着テープの緩みを防ぐための要部を示す拡大図である。
【図６】図３のＡ−Ａ´線断面図である。
【図７】本発明の粘着テープ用ディスペンサの使用状態を示す斜視図である。
【図８】本発明の粘着テープ用ディスペンサの部分平面図である。
【符号の説明】
【００９１】
１０…粘着テープ、  ２０…本体、  ２０ａ…フック部材、  ２０ｂ…係合突起、  ２０ｃ…フック突起、  ２０ｄ，２０ｅ…案内部材、  ２０ｆ…突出部、  ２１…保持部、  ２２…取付け孔、  ２３…露出スペース、  ２４…本体ケース、  ２４ｔ…弾性部材、  ２５…連結ケース、  ２６…組付けスペース、  ２７…カバーケース、  ２８…嵌込み部材、  ３０…カッタ部、  ４０…カッタ保護カバー、  ５０…捻りバネ、  ６０…カッタコントローラ、  ８０…弾性押圧プレート。
【図１】
2008143705.tif 000003
【図２】
2008143705.tif 000004
【図３】
2008143705.tif 000005
【図４】
2008143705.tif 000006
【図５】
2008143705.tif 000007
【図６】
2008143705.tif 000008
【図７】
2008143705.tif 000009
【図８】
2008143705.tif 000010